(57)【要約】【課題】廃トナー収納容器の再利用時に廃トナー量を目視により確認することができる廃トナー収納容器、及びこれを備えた画像形成装置を提供する。【解決手段】画像形成装置の像担持体上に残留したトナーを回収し、収納する廃トナー収納容器であって、前記廃トナー収納容器の外周壁に、当該廃トナー収納容器に貯留された廃トナー量を観察する透明窓部を着脱可能に取り付けたことを特徴とする。【選択図】図４
2009092990.tif 000002
【特許請求の範囲】
【請求項１】
画像形成装置の像担持体上に残留し、回収された廃トナーを収納する廃トナー収納容器において、
前記廃トナー収納容器の外周壁に、当該廃トナー収納容器に貯留された廃トナー量を確認するための透明窓部を着脱可能に取り付けたことを特徴とする廃トナー収納容器。
【請求項２】
請求項１記載の廃トナー収納容器において、
前記透明窓部内面に、導電性を有する透明導電部を前記廃トナー収納容器の高さ方向の全長に亘って備えたことを特徴とする廃トナー収納容器。
【請求項３】
請求項２記載の廃トナー収納容器において、
前記透明窓部が、透明な導電性材料で形成された透明導電部にて構成されていることを特徴とする廃トナー収納容器。
【請求項４】
請求項２記載の廃トナー収納容器において、
前記透明導電部は、透明窓部の内面に形成された透明導電性被膜であることを特徴とする廃トナー収納容器。
【請求項５】
請求項２乃至４のいずれか１項記載の廃トナー収納容器において、
前記透明導電部が接地されていることを特徴とする廃トナー収納容器。
【請求項６】
請求項１乃至５のいずれか１項記載の廃トナー収納容器において、
前記透明窓部の内面に、廃トナーに対して離型性を有する透明離型層を前記廃トナー収納容器の高さ方向の全長に亘って形成したことを特徴とする廃トナー収納容器。
【請求項７】
請求項１乃至６のいずれか１項記載の廃トナー収納容器において、
前記透明窓部を上方にして廃トナー収納容器を静置するための台座部が前記透明窓部と対向する廃トナー収納容器の外周壁に形成されたことを特徴とする廃トナー収納容器。
【請求項８】
請求項７記載の廃トナー収納容器において、
前記台座部は、前記廃トナー収納容器の外周壁に折り畳み自在に取り付けられた足部を備えていることを特徴とする廃トナー収納容器。
【請求項９】
請求項７又は８記載の廃トナー収納容器において、
前記透明窓部を上方にして廃トナー収納容器を静置する際に上方を向いて開口する廃トナー回収口部を有することを特徴とする廃トナー収納容器。
【請求項１０】
像担持体と、当該像担持体に形成された静電潜像をトナー像化する現像手段と、当該像担持体上に形成されたトナー像を転写材に転写する転写手段と、当該転写手段によって転写材にトナー像が転写された後に像担持体上に残留する廃トナーをクリーニングするクリーニング手段と、当該クリーニング手段によってクリーニングされた廃トナーを回収する回収手段と、回収された廃トナーを収納する廃トナー収納容器とを備えた画像形成装置において、
前記廃トナー収納容器は、請求項１乃至９のいずれか１項記載の廃トナー収納容器であることを特徴とする画像形成装置。
【発明の詳細な説明】
【技術分野】
【０００１】
本発明は、画像形成装置の像担持体上に残留し、回収された廃トナーを収納する廃トナー収納容器及びこれを備えた画像形成装置に関する。
【背景技術】
【０００２】
複写機、プリンタ、ファクシミリ等の転写紙等の転写材に画像を形成する画像形成装置としては、像担持体である感光体の表面に静電潜像を形成し、この静電潜像にトナーを付着させて現像し、感光体の表面から転写材にトナー像を転写することによって転写材に画像を形成する電子写真方式のものが多用されている。この方式の画像形成装置では、次の画像形成のために、トナー転写後の感光体の表面から残留するトナーを除去する必要があり、感光体表面から除去された残留トナーは、廃トナーとしてトナー回収装置によって着脱可能な廃トナー収納容器に収容される。
【０００３】
使用済トナー（即ち、廃トナー）を収容する廃トナー収納容器が満杯になると交換する必要がある。廃トナー収納容器には、当該容器内に貯留された廃トナー量を把握するために、透明窓部が形成され、透明窓部を通して目視で廃トナー量を確認したり、光源とフォトセンサによって容器が満杯であるか否かを検知する手段が備えられている（例えば、特許文献１参照）。
【０００４】
いずれの場合においても、廃トナー収納容器に形成された透明窓部は、容器内に投入されたトナーによって汚染され易く、透明窓部が汚染されると廃トナー量の判断を誤る可能性があり、透明窓部は可及的に鮮明であることが望まれる。一方、廃トナー収納容器は、満杯になった時点で画像形成装置から取り外され、中に貯留された廃トナーを抜き取り、簡単な清掃を行った後に再び画像形成装置に設置される。この場合、廃トナー収納容器の透明窓部の内面にマスキングテープが剥離可能に貼着され、画像形成装置に再度設置する際に、マスキングテープを剥離して、鮮明な透明窓部を形成することが提案されている（例えば、特許文献２参照）。
【０００５】
【特許文献１】特開２００６−７８７０６号公報
【特許文献２】特開２００２−６７１４号公報
【発明の開示】
【発明が解決しようとする課題】
【０００６】
しかしながら、特許文献２記載のものでは、廃トナー収納容器の周壁全体を高価な透明材料で形成する必要があり、廃トナー収納容器が高価なものとなるだけでなく、この廃トナー収納容器を再利用する場合には、再び、マスキングテープを廃トナー収納容器の内面に貼着しなければならず、煩雑な作業が必要となるという問題がある。
【０００７】
本発明は、上記実情を考慮してなされたものであり、廃トナー収納容器の再利用時に廃トナー量を確認するための透明窓部を容易に清掃することができて廃トナー量の確認をより確実に行うことの可能な廃トナー収納容器、及び、この廃トナー収納容器を備えた画像形成装置を提供することを目的とする。
【課題を解決するための手段】
【０００８】
上記課題を解決するために、請求項１に記載の発明は、画像形成装置の像担持体上に残留し、回収された廃トナーを収納する廃トナー収納容器において、
前記廃トナー収納容器の外周壁に、当該廃トナー収納容器に貯留された廃トナー量を確認するための透明窓部を着脱可能に取り付けたことを特徴とする。
【０００９】
また、請求項２の発明は、請求項１記載の廃トナー収納容器において、
前記透明窓部内面に、導電性を有する透明導電部を前記廃トナー収納容器の高さ方向の全長に亘って備えたことを特徴とする。
【００１０】
また、請求項３の発明は、請求項２記載の廃トナー収納容器において、
前記透明窓部が、透明な導電性材料で形成された透明導電部にて構成されていることを特徴とする。
【００１１】
また、請求項４の発明は、請求項２記載の廃トナー収納容器において、
前記透明導電部は、透明窓部の内面に形成された透明導電性被膜であることを特徴とする。
【００１２】
また、請求項５の発明は、請求項２乃至４のいずれか１項記載の廃トナー収納容器において、
前記透明導電部が接地されていることを特徴とする。
【００１３】
また、請求項６の発明は、請求項１乃至５のいずれか１項記載の廃トナー収納容器において、
前記透明窓部の内面に、廃トナーに対して離型性を有する透明離型層を前記廃トナー収納容器の高さ方向の全長に亘って形成したことを特徴とする。
【００１４】
また、請求項７の発明は、請求項１乃至６のいずれか１項記載の廃トナー収納容器において、
前記透明窓部を上方にして廃トナー収納容器を静置するための台座部が前記透明窓部と対向する廃トナー収納容器の外周壁に形成されたことを特徴とする。
【００１５】
また、請求項８の発明は、請求項７記載の廃トナー収納容器において、
前記台座部は、前記廃トナー収納容器の外周壁に折り畳み自在に取り付けられた足部を備えていることを特徴とする。
【００１６】
また、請求項９の発明は、請求項７又は８記載の廃トナー収納容器において、
前記透明窓部を上方にして廃トナー収納容器を静置する際に上方を向いて開口する廃トナー回収口部を有することを特徴とする。
【００１７】
また、請求項１０の発明は、像担持体と、当該像担持体に形成された静電潜像をトナー像化する現像手段と、当該像担持体上に形成されたトナー像を転写材に転写する転写手段と、当該転写手段によって転写材にトナー像が転写された後に像担持体上に残留する廃トナーをクリーニングするクリーニング手段と、当該クリーニング手段によってクリーニングされた廃トナーを回収する回収手段と、回収された廃トナーを収納する廃トナー収納容器とを備えた画像形成装置において、
前記廃トナー収納容器は、請求項１乃至９のいずれか１項記載の廃トナー収納容器であることを特徴とする。
【発明の効果】
【００１８】
本発明によれば、前記廃トナー収納容器の外周壁に、当該廃トナー収納容器に貯留された廃トナー量を観察する透明窓部を着脱可能に取り付けることによって、廃トナー収納容器の再利用時に廃トナー量を確認するための透明窓部を容易に清掃することができて廃トナー量の確認をより確実に行うことの可能な廃トナー収納容器及びこれを備えた画像形成装置を提供することができるようになる。
【発明を実施するための最良の形態】
【００１９】
以下、図面を参照して、本発明の実施形態を詳細に説明する。
【００２０】
図１は、この発明の一実施の形態を示すもので、タンデム型間接転写方式の電子写真装置である。図中符号１００は複写装置本体、２００はそれを載せる給紙テーブル、３００は複写装置本体１００上に取り付けるスキャナ、４００はさらにその上に取り付ける原稿自動搬送装置（ＡＤＦ）である。
【００２１】
複写装置本体１００には、中央に、無端ベルト状の中間転写体１０を設ける。中間転写体１０は、図２に示すように、ベース層１１を、例えば伸びの少ないフッ素樹脂や伸びの大きなゴム材料に帆布など伸びにくい材料で構成された基層をつくり、その上に弾性層１２を設ける。弾性層１２は、例えばフッ素系ゴムやアクリロニトリル−ブタジエン共重合ゴムなどでつくる。その弾性層１２の表面は、例えばフッ素系樹脂をコーティングして平滑性のよいコート層１３で被ってなる。そして、図１に示すとおり、図示例では３つの支持ローラ１４・１５・１６に掛け回して図中時計回りに回転搬送可能とする。この図示例では、３つの支持ローラの中で第２の支持ローラ１５の左に、画像転写後に中間転写体１０上に残留する残留トナーを除去する中間転写体クリーニング装置１７を設ける。
【００２２】
また、３つの支持ローラの中で第１の支持ローラ１４と第２の支持ローラ１５間に張り渡した中間転写体１０上には、その搬送方向に沿って、ブラック（Ｋ）、イエロー（Ｙ）、マゼンタ（Ｍ）、シアン（Ｃ）の４つの画像形成手段１８Ｙ、１８Ｍ、１８Ｃ、１８Ｋを横に並べて配置してタンデム画像形成装置２０を構成する。そのタンデム画像形成装置２０の上には、図１に示すように、さらに露光装置２１を設ける。
【００２３】
一方、中間転写体１０を挟んでタンデム画像形成装置２０と反対の側には、２次転写装置２２を備える。２次転写装置２２は、図示例では、２つのローラ２３間に、無端ベルトである２次転写ベルト２４を掛け渡して構成し、中間転写体１０を介して第３の支持ローラ１６に押し当てて配置し、中間転写体１０上の画像を転写材である転写シートＰに転写する。２次転写装置２２の横には、転写シートＰ上の転写画像を定着する定着装置２５を設ける。定着装置２５は、無端ベルトである定着ベルト２６に加圧ローラ２７を押し当てて構成する。上述した２次転写装置２２には、画像転写後の転写シートＰをこの定着装置２５へと搬送する転写シート搬送機能も備えてなる。もちろん、２次転写装置２２として、転写ローラや非接触のチャージャを配置してもよく、そのような場合は、この転写シート搬送機能を併せて備えることは難しくなる。なお、図示例では、このような２次転写装置２２および定着装置２５の下に、上述したタンデム画像形成装置２０と平行に、転写シートの両面に画像を記録すべく転写シートを反転する転写シート反転装置２８を備える。
【００２４】
さて、いまこのカラー電子写真装置を用いてコピーをとるときは、原稿自動搬送装置４００の原稿台３０上に原稿をセットする。または、原稿自動搬送装置４００を開いてスキャナ３００のコンタクトガラス３２上に原稿をセットし、原稿自動搬送装置４００を閉じてそれで押さえる。そして、不図示のスタートスイッチを押すと、原稿自動搬送装置４００に原稿をセットしたときは、原稿を搬送してコンタクトガラス３２上へと移動して後、他方コンタクトガラス３２上に原稿をセットしたときは、直ちにスキャナ３００を駆動し、第１走行体３３および第２走行体３４を走行する。そして、第１走行体３３で光源から光を発射するとともに原稿面からの反射光をさらに反射して第２走行体３４に向け、第２走行体３４のミラーで反射して結像レンズ３５を通して読取りセンサ３６に入れ、原稿内容を読み取る。
【００２５】
また、不図示のスタートスイッチを押すと、不図示の駆動モータで支持ローラ１４・１５・１６の１つを回転駆動して他の２つの支持ローラを従動回転し、中間転写体１０を回転搬送する。同時に、個々の画像形成手段１８で像担持体である感光体４０を回転して各感光体４０Ｙ、４０Ｍ、４０Ｃ、４０Ｋ上にそれぞれ、ブラック、イエロー、マゼンタ、シアンの単色画像を形成する。そして、中間転写体１０の搬送とともに、それらの単色画像を順次転写して中間転写体１０上に合成カラー画像を形成する。
【００２６】
一方、不図示のスタートスイッチを押すと、給紙テーブル２００の給紙ローラ４２の１つを選択回転し、ペーパーバンク４３に多段に備える給紙カセット４４の１つから転写シートＰを繰り出し、分離ローラ４５で１枚ずつ分離して給紙路４６に入れ、搬送ローラ４７で搬送して複写機本体１００内の給紙路４８に導き、レジストローラ４９に突き当てて止める。または、給紙ローラ５０を回転して手差しトレイ５１上の転写シートを繰り出し、分離ローラ５２で１枚ずつ分離して手差し給紙路５３に入れ、同じくレジストローラ４９に突き当てて止める。
【００２７】
そして、中間転写体１０上の合成カラー画像にタイミングを合わせてレジストローラ４９を回転し、中間転写体１０と２次転写装置２２との間に転写シートＰを送り込み、２次転写装置２２で転写して転写シートＰ上にカラー画像を記録する。
画像転写後の転写シートは、２次転写装置２２で搬送して定着装置２５へと送り込み、定着装置２５で熱と圧力とを加えて転写画像を定着して後、切換爪５５で切り換えて排出ローラ５６で排出し、排紙トレイ５７上にスタックする。または、切換爪５５で切り換えて転写シート反転装置２８に入れ、そこで反転して再び転写位置へと導き、裏面にも画像を記録して後、排出ローラ５６で排紙トレイ５７上に排出する。
【００２８】
一方、画像転写後の中間転写体１０は、中間転写体クリーニング装置１７で、画像転写後に中間転写体１０上に残留する残留トナーを除去し、タンデム画像形成装置２０による再度の画像形成に備える。
【００２９】
ここで、レジストローラ４９は一般的には接地されて使用されることが多いが，転写シートの紙粉除去のためにバイアスを印加することも可能である。例えば、導電性ゴムローラを用いバイアスを印加する。径φ１８ｍｍで、表面を１ｍｍ厚みの導電性ＮＢＲゴムとする。電気抵抗はゴム材の体積抵抗で１０Ｅ９Ωｃｍ程度であり、印加電圧はトナーを転写する側（表側）には−８００Ｖ（程度の電圧を印加。紙裏面側は＋２００Ｖ程度の電圧を印加する。一般的に中間転写方式は紙粉が感光体にまで移動しづらいため、紙粉転写を考慮する必要が少なくアースになっていても良い。また、印加電圧として、ＤＣバイアスが印加されているが、これは転写シートをより均一帯電させるためＤＣオフセット成分を持ったＡＣ電圧でも良い。このようにバイアスを印加したレジストローラ４９を通過した後の紙表面は，若干マイナス側に帯電している。よって、中間転写体１０から転写シートへの転写では、レジストローラ４９に電圧を印加しなかった場合に比べて転写条件が変わり転写条件を変更する場合がある。
【００３０】
さて、上述したタンデム画像形成装置２０において、個々の画像形成手段１８は、詳しくは、例えば図３に示すように、ドラム状の感光体４０のまわりに、帯電装置６０、現像装置６１、１次転写装置６２、感光体クリーニング装置６３、除電装置６４などを備えてなる。
【００３１】
現像装置６１は、各色のトナーと磁性キャリアからなる二成分系現像剤を収納した容器７０内に内部に固定磁石を有し、その外周で回転する現像スリーブ７２を有する現像ローラ７１が回転自在に取り付けられている。そして、容器７０内でトナーとキャリアが攪拌パドル６８で攪拌混合され、現像ローラ７１内の磁石の磁力によって現像スリーブ７２上に、トナーを保持するキャリアが吸引保持され、ドクターブレード７３で所定厚みで感光体４０の表面に供給され、キャリアに保持されたトナーが感光体４０の表面に形成された静電潜像に静電気的に吸引されて静電潜像がトナー像化される。
【００３２】
また、感光体クリーニング装置６３は、感光体４０の表面のトナー像が中間転写体１０に転写された後に残留するトナーを感光体４０の表面から削り取るクリーニングブレード７５及び削り取られたトナーを収集するクリーニングブラシ７６、クリーニングブラシ７６をクリーニングするクリーニングローラ７７、クリーニングブラシ７６で収集されたトナーを後述する廃トナー収納容器に搬送するトナー排出オーガ７８を備えている。
【００３３】
このような構成を有する画像形成手段１８による画像形成について、図３に基づいて説明する。矢印Ａ方向に回転する感光体４０の表面を帯電装置６０で一様に帯電する。このように帯電された感光体４０の表面に、露光装置２１から画像情報に応じて照射されるレーザー光Ｌによって静電潜像が形成される。このように形成された静電潜像に、前述のように、現像装置６１からトナーが供給されてトナー像が形成される。このように形成されたトナー像は、１次転写装置６２によって中間転写体１０に転写される。トナー像が転写された感光体４０は、その表面に残留ずる残留トナーは、前述のように、感光体クリーニング装置６３によって感光体４０の表面から削り取られる。その後、除電装置６４で感光体４０の表面が除電される。このような手順が感光体４０の回転と共に繰り返し行われて画像形成手段１８でトナー画像が形成される。
【００３４】
このような画像形成装置２０において、画像形成時に像担持体である感光体４０及び中間転写体１０の表面をそれぞれのクリーニング装置６３及び１７でクリーニングすることによって排出される廃トナーを回収オーガ７８等の回収手段で廃トナー収納容器に回収される。このようにして回収された廃トナーＴが廃トナー収納容器１内に満杯になったときに、廃トナー収納容器１を複写装置本体１００から取り外し、容器１内の廃トナーＴを捨てて空にした後、後述するように、廃トナー容器１の透明窓部を取り外し、掃除して再度透明窓部を取り付けて設置可能なように、廃トナー収納容器１を複写装置本体１００に取り外し自在に設置している。本発明においては、この廃トナー収納容器１の構造に特徴を有する。
【００３５】
次に、この廃トナー収納容器１の具体的構造について、実施例に基づいて説明する。
【００３６】
〔実施例１〕
図４、図５は、本発明による一実施例の廃トナー収納容器の概略構成を示す図である。本実施例に係る廃トナー収納容器１は、長方体状の箱体であり、その上面１ａには前方に向かって開放された開口２ａを有する回収口２が取り付けられ、この回収口２から前述のクリーニング装置６３及び中間転写体クリーニング装置１７から搬送された廃トナーＴを廃トナー収納容器１内に供給して収納するようになっている。さらに、この回収口２は、この廃トナー収納容器１から廃トナー収納容器１内の廃トナーＴを排出する際の排出口も兼ねている。
【００３７】
また、廃トナー収納容器１の前方外周壁１ｂには、透明なプラスチック材で成型された長方形状の透明窓３ａが、その突出部３ｃを廃トナー収納容器１の開口１ｆ内に挿入された状態で、止めネジ４等で取り外し自在に取り付けられている。従って、廃トナー収納容器１の底面１ｃを底部として画像形成装置２０の所定位置に設置した際に、透明窓部３を通じて廃トナー収納容器１内に貯留されている廃トナー量Ｔを目視或いは、光学的検出手段によって確認することが可能となっている。
【００３８】
透明窓部３の内面３ｂには、図６に示すように、酸化インジュウム、酸化スズ等の導電性の０．０１〜１μｍ厚みの透明導電性薄膜６が透明窓３ａの内面全面に形成されている。そして、この透明導電性薄膜６は、取り付けネジ４によってこの透明導電性薄膜６と電気的に接続された端子７を介して、装置本体１００に取り付けられたアース端子５に電気的に接続されて接地されている。従って、例えば、負に帯電されている廃トナーＴは、接地されている透明導電性薄膜６と静電気的に反発して、透明窓部３の内面３ｂの透明導電性薄膜６に付着することが抑制され、透明窓部３のトナーによる汚染が防止されて長期に亘って透明性を維持することが可能となる。この場合、透明導電性薄膜６は、透明窓部３の内面全面に形成されることが望ましいが、必ずしも全面である必要はなく、少なくとも廃トナー収納容器１の高さ方向の全長Ｈに亘って透明窓部３の一部に形成されても同様の効果を得ることができる。
【００３９】
本実施例においては、透明窓部３の透明窓３ａは、透明プラスチック材の内面３ｂに透明導電性薄膜６を形成したものを使用したが、カーボン等の導電性物質を含有する透明導電性プラスチック物質で成形した透明窓を使用しても同様な効果を得ることができる。この場合、透明性導電性物質の電気抵抗は、１０５Ω・ｃｍ以下のものが好ましい。
【００４０】
この廃トナー収納容器１内に貯留された廃トナーＴがほぼ満杯になったことを透明窓部３を介して目視或いは、光学的手段によって確認したときに、廃トナー収納容器１を装置本体１００から取り外す。その後、廃トナーＴを廃トナー収納容器１内から取り出し、廃トナー収納容器１内を空にする。その後、廃トナーＴが付着して汚染された透明窓部３の内面３ｂを清掃するために、透明窓３ａを廃トナー収納容器１から取り外す。この場合に、透明窓３ａの取り外し及び透明窓部３の内面に付着している廃トナーＴを落下させて透明窓部３の内面３ｂから取除くために、図７に示すように、透明窓部３が上方となるように、廃トナー収納容器１を静置する。このように、透明窓部３が上方となるように確実に静置するために、透明窓部３が取り付けられている前方外周壁（前面）１ｂと対向する側の廃トナー収納容器１の対向面１ｄが静置した際の台座となるように平坦面に形成されている。
【００４１】
従って、図７に示すように、透明窓部３が上方となるように、廃トナー収納容器１を静置すると、透明窓部３の内面３ｂに付着している廃トナーＴが下方に落下して透明窓部３の内面が綺麗になる。同時に、取り付けネジ４を廃トナー収納容器１から取り外して安定して透明窓３ａを廃トナー収納容器１から取り外し、汚染されている透明窓３ａの内面３ｂを拭いて、綺麗にして透明性を上げた状態で透明窓３ａを所定に位置に取り付けることが可能となる。このように、廃トナー収納容器１を装置本体から取り外した後、透明窓部３を綺麗にして再度使用するので、透明性を維持した状態で透明窓部３から廃トナー量を確認することができる。
【００４２】
また、本実施例においては、図７に示すように、回収口２は、その開口２ａが透明窓部３を上方にして廃トナー収納容器を静置する際に上方を向いて開口するように形成されているので、透明窓部３が上方となるように、廃トナー収納容器１を静置すると、回収口２内に残留する廃トナーＴは、廃トナー収納容器１の対向面１ｄ方向に落下して、透明窓部３から透明窓３ａを取り外す際に、回収口２からの廃トナーの散乱を抑制することができる。
【００４３】
〔実施例２〕
本実施例においては、前記実施例１における透明窓部３の内面３ｂに形成される透明導電性薄膜６に代えて、図８に示すように、ステアリン酸亜鉛等の脂肪酸金属塩や、ポリテトラフロロカーボン等のフッ素樹脂等の廃トナーに対して離型性を有する１〜１０μｍ厚みの透明離型層８を、廃トナー収納容器の高さ方向全長に亘って形成している。従って、廃トナー収納容器１内に廃トナーを収納しても、透明窓部３の内面３ｂに廃トナーＴが付着することを抑制し、透明窓部３の透明性を維持することが可能となる。なお、この透明離型層８は、実施例１における透明窓部３の内面３ｂに形成される透明導電性薄膜６上に形成することができる。このように、透明導電性薄膜６による静電気的な廃トナーＴの付着抑制効果と透明離型層８による廃トナーＴの付着抑制効果が作用してより良好な廃トナーＴの抑制を図ることができるので好適である。
【００４４】
〔実施例３〕
図９、図１０は、本発明による他の実施例の廃トナー収納容器１の概略構成を示す図である。本実施例における廃トナー収納容器１は、断面台形状の箱体であり、廃トナーＴの回収口２が廃トナー収納容器１の上面１ａ、前面１ｂ、側面１ｅの交差する角部に形成されている。従って、回収口２が廃トナー収納容器１の上面１ａより下方に位置することになり、廃トナー収納容器１を装置本体１００に設置する際に、回収口２が他の部品に対する妨げにならずに廃トナー収納容器１の装置本体１００に対するスムーズな設置を可能としている。
【００４５】
このように、廃トナー収納容器１の高さを低く形成した場合には、図１０に示すように、透明窓部３が上方となるように廃トナー収納容器１を静置すると、透明窓部３が形成された前面１ｂの対向面１ｄの面積が小さくなって、廃トナー収納容器１の静置状態が不安定となる。これを改善するため、本実施例においては、上面１ａの傾斜面１ａ１に折り畳み自在に足部９を取り付け、透明窓部３が上方となるように廃トナー収納容器１を静置した際に足部９を展開して、台座の足部として使用し、より安定した状態で透明窓部３が上方となるように、廃トナー収納容器１を静置することを可能としている。一方、廃トナー収納容器１を装置本体１００に設置する場合には、廃トナー収納容器１の上面１ａの傾斜面１ａ１上に前記足部９を折り畳むことで廃トナー収納容器１の高さを低くした状態で装置本体１００に設置することが可能となる。
【００４６】
また、本実施例においては、図１０に示すように、透明窓３ａの取り付け構造を実施例１の場合と相違して、上下の舌片３ｄを延出させ、透明窓３ａの突出部３ｃを廃トナー収納容器１の開口１ｆ内に挿入し、この舌片３ｄを廃トナー収納容器１の前面１ｂに形成された保持部１ｇ内に挿入して保持させるようにしている。従って、実施例１の場合に比べて、より簡単に、透明窓３ａの取り外し及び組み込みを行うことが可能となる。
【図面の簡単な説明】
【００４７】
【図１】本発明による一実施形態の画像形成装置の概略構成を示す断面図である。
【図２】図１で示す画像形成装置で使用される中間転写体の断面図である。
【図３】図１で示す画像形成装置で使用される画像形成手段の一部を示す拡大断面図である。
【図４】本発明による実施例１の廃トナー収納容器の概略構成を示す斜視図である。
【図５】図４のＡ−Ａ線上で切断した断面図である。
【図６】図４のＢ−Ｂ線上で切断した一部を切り欠いた断面図である。
【図７】図４で示す廃トナー収納容器を立てて静置した際の透明窓部の分解斜視図である。
【図８】本発明による実施例２の廃トナー収納容器の透明窓部の断面図である。
【図９】本発明による実施例３の廃トナー収納容器の概略構成を示す斜視図である。
【図１０】図９で示す廃トナー収納容器を立てて静置した際の透明窓部の分解斜視図である。
【符号の説明】
【００４８】
（図１において）
１      廃トナー収納容器
１０    中間転写体
１４、１５、１６  支持ローラ
１７    中間転写体クリーニング装置
１８    画像形成手段
２０    タンデム画像形成装置
２１    露光装置
２２    ２次転写装置（転写ローラ）
２３    ローラ
２４    ２次転写ベルト
２５    定着装置
２５ａ  定着ヒータ
２５ｂ  従動ローラ
２５ｃ  駆動ローラ
２５ｄ  定着温度センサ
２５ｅ  平面基盤
２６    定着ベルト（定着フィルム）
２７    加圧ローラ
２８    シート反転装置
３０    原稿台
３２    コンタクトガラス
３３    第１走行体
３４    第２走行体
３５    結像レンズ
３６    読み取りセンサ
４０    感光体
４１    現像ベルト
４２    給紙ローラ
４３    ペーパーバンク
４４    給紙カセット
４５    分離ローラ
４６、４８  給紙路
４７    搬送ローラ
４９    レジストローラ
５０    給紙ローラ
５１    手差しトレイ
５２    分離ローラ
５３    手差し給紙路
５５    切換爪
５６    排出ローラ
５７    排紙トレイ
６０    帯電装置
６０ａ  帯電ローラ
６０ｂ  ブラシローラ
６０ｃ  芯金
６０ｄ  導電ゴム層
６０ｅ  ブラシ部
６０ｆ  電源
６１    現像装置
６２    １次転写装置
６３    クリーニング装置
６４    除電装置（除電ランプ）
１００  複写機本体
２００  給紙テーブル
３００  スキャナ
４００  原稿自動搬送装置
Ｐ      転写シート
（図２において）
１０  中間転写体
１１  ベース層
１２  弾性層
１３コート層
（図３において）
１０  中間転写体
１８  画像形成装置
４０  感光体
６０  帯電装置
６１  現像装置
６２  １次転写装置
６３  感光体クリーニング装置
６４  除電装置
６８  攪拌パドル
７０  二成分系現像剤を収納した容器
７１  現像ローラ
７２  現像スリーブ
７３  ドクターブレード
７５  クリーニングブレード
７６  クリーニングブラシ
７７  クリーニングローラ
７８  トナー排出オーガ
Ｌ    露光
（図４〜図１０において）
１      廃トナー収納容器
１ａ    上面
１ａ１  傾斜面
１ｂ    前方外周壁
１ｃ    底面
１ｄ    対向面
１ｆ    開口
１ｇ    保持部
２      回収口
２ａ    開口
３      透明窓部
３ａ    透明窓
３ｂ    内面
３ｃ    突出部
３ｄ    舌片
４      取り付けネジ
５      アース端子
６      透明導電性薄膜
７      端子
８      透明離型層
９      足部
【図１】
2009092990.tif 000003
【図２】
2009092990.tif 000004
【図３】
2009092990.tif 000005
【図４】
2009092990.tif 000006
【図５】
2009092990.tif 000007
【図６】
2009092990.tif 000008
【図７】
2009092990.tif 000009
【図８】
2009092990.tif 000010
【図９】
2009092990.tif 000011
【図１０】
2009092990.tif 000012